Podtech/llm-jp-corpus-v4-ja_patent huggingface dataset:
(57)【要約】【課題】    デジタルカメラ用プリント紙をファイルしやすく、またプリント部２をプリント紙１全体から分離しやすくする。【解決手段】    デジタルカメラ用プリント紙１の、プリント部２の四辺の内の一辺に追加部分３を加え、ここでプリント部２は無地とし、プリント部２と追加部分３との間にミシン目、またはプリント部２と追加部分３とが若干の箇所でつながっている所４を設ける。また追加部分３にはファイル用穴５を設ける。【選択図】  図１
0003104798.tif 000002
【実用新案登録請求の範囲】
【請求項１】
デジタルカメラ用プリント紙１の、プリント部２の四辺の内の一辺に追加部分３を加え、
プリント部２は無地とし、
またプリント部２と追加部分３との間はミシン目、またはプリント部２と追加部分３とが若干の箇所でつながっている所４を設け、
追加部分３にはファイル用穴５を設けることを特徴とする、デジタルカメラ用プリント紙。
【考案の詳細な説明】
【技術分野】
【０００１】    本考案はデジタルカメラ用のプリント紙に関する。
【背景技術】
【０００２】    現在のデジタルカメラ用プリント紙はプリントした後整理がしにくかった。特に大きな紙にプリントした場合がそうである。
【考案の開示】
【考案が解決しようとする課題】
【０００３】    プリント紙をファイルしやすく、またプリント部２をプリント紙１全体から分離しやすくする。
【課題を解決するための手段】
【０００４】    デジタルカメラ用プリント紙１のプリント部２の四辺の内の一辺に追加部分３を加える。ここでプリント部２は無地とする。またプリント部２と追加部分３との間は簡単に切断できるようにミシン目、またはプリント部２と追加部分３とが若干の箇所でつながっている所４を設ける。また追加部分３にはファイル用穴５を設ける。
【実施例】
【０００５】    プリント部２はプリント部いっぱいにプリントしないで余白部分を設けてもよい。また少なくともプリント部２は画質を上げるため、またはその他の目的で表面処理がしてあってもよい。またファイル用穴はどのような規格のものでもよい。またプリント紙１の両面にプリントできるようにしてもよい。
【図面の簡単な説明】
【０００６】
【図１】  プリント紙の一例
【符号の説明】
【０００７】    １  プリント紙
２  プリント部
３  追加部分
４  ミシン目、またはプリント部２と追加部分３とが若干の箇所でつながっている所
５  ファイル用穴
【図１】
0003104798.tif 000003
(57)【要約】【課題】衛生的に、歯間清掃器具を保管できる歯ブラシを、提供する。【解決手段】歯ブラシ（１）の柄に、歯間清掃器具（２）の一部を外部に露出して保管出来るような、空洞を設ける。必要に応じて、歯間清掃器具を収納出来る事を特徴とする。【選択図】  図１
0003104797.tif 000002
【実用新案登録請求の範囲】
【請求項１】
歯ブラシの一部に空洞を設け、歯ブラシ使用時は歯間清掃器具が歯磨きに邪魔にならない形態で収納され、保管時は、歯間清掃用具の柄が歯ブラシの柄の内部に収納された状態で、なおかつ歯間清掃器具の一部が外部に露出するようにしたところを特徴とする歯ブラシ。
【考案の詳細な説明】
【技術分野】
【０００１】  本考案は、歯間清掃器具を衛生的に保管し、かつ歯磨きを効率よく行うための歯ブラシに関するものである。
【背景技術】
【０００２】    従来、歯間清掃器具を歯ブラシの柄部分に収納する歯ブラシの考案は、あった。
【考案の開示】
【考案が解決しようとする課題】
【０００３】    これには次のような欠点があった。保管時に、歯間清掃用具は、歯ブラシの柄内部に収納されている。湿気が充分にとれず不衛生になりやすい。本発明は、これらの欠点を、除くためになされたものである。
【課題を解決するための手段】
【０００４】  本考案は、歯磨き時などには歯間清掃器具が、邪魔にならないように歯間清掃器具は、必要に応じて内部に自在に収納可能にする。さらに歯間清掃器具の柄に突起を設け保管時に歯間清掃用具の一部が、外部に露出することにより、問題を解決している。
【考案の効果】
【０００５】  上述のように、本考案の歯間清掃器具ホルダー付き歯ブラシは、歯間清掃器具を清潔に保管できる。歯ブラシ使用時の前後に、歯間清掃器具も取り出し易い。よって、歯みがきの習慣に、歯間清掃も含まれることになる。使用後の、歯ブラシ、歯間清掃器具の清掃、保管、携帯が同時にできる。消耗した歯間清掃器具の交換もしやすい。
【考案を実施する為の最良の形態】
【０００６】  歯間清掃器具の柄の先端部に、適当な角度で傾斜した突起を設け、保管時は、加圧により、歯間清掃器具が外部に露出し、適当な位置で保管できるようにする。同時に歯ブラシ内部の空洞の位置も調節する。歯間清掃器具は、空洞内で自在に移動できるようにし、先端が飛びださないように空洞内にストッパーを設ける。以上のような形態変化で、歯間清掃器具が邪魔にならずに歯磨きができ、保管時は、清潔かつ取り出しやすい状態で歯間清掃器具を保管できる。
【実施例】
【０００７】    以下、本発明の実施の形態について図に基づいて説明する。歯ブラシ（１）の柄部分に空洞を設け、図１に示すように歯間清掃用具（２）の一部が、外気に触れるような状態で保管出来るようにする。
歯ブラシとして使用する場合は、図２に示すように、歯間清掃用具（２）を、歯ブラシ（１）の柄の部分に収納する。収納場所は、図４に示すように、歯ブラシの柄の一部をくり抜いた空洞（７）とする。歯間清掃器具の柄を、適当な位置で固定出来るように、空洞内にストッパーｂ（４）を、さらに歯間清掃器具（２）の柄部分に突起ａ（５）を設ける。歯ブラシ（１）を保管する時、柄の底に力が加わると、歯間清掃用具の一部が、外に露出するように、歯間清掃器具の柄の先端に適当な突起ｂ（６）を設ける。歯ブラシ保管時、歯間清掃器具の露出部分が邪魔になる場合は、図３に示すように、空洞内のストッパーａ（３）で、歯間清掃用具を固定する。ストッパーの数は必要に応じて決める。【０００８】  他の実施例として図６に示すように、歯間清掃用具の柄部分の突起がなくても保管出来るようにホルダー用蓋（８）を、設けてもよい。ホルダー用蓋は、基底部を中心に開閉し、保管時底に圧力が加わった時ホルダー用蓋が開放するように必要に応じて基底部に適当な角度で傾斜した突起を設ける。又は加圧で押されホルダー用蓋を開放させるレバーを設ける。【０００９】  他の実施例として、歯間清掃器具は、図１に示すようなフロス式歯間清掃器具（２）、図７示すようなブラシ式歯間清掃器具（９）図８に示すような楊子式歯間清掃器具（１０）が可能である。【００１０】  本案の実施例は上述の如き構成からなるもであるから、使用する場合は、必要に応じた形態で使い分けする。図で例を示すと、歯ブラシとして使用する場合は、図２の形態。保管時は、図１、又は図３、図６の形態である。
【図面の簡単な説明】
【００１１】
【図Ｉ】  本考案の歯間清掃器具保管の実施例を示す正面図である。
【図２】  本考案の歯ブラシ使用時の実施例を示す正面図である。
【図３】  本考案の歯間清掃器具保管の実施例を示す正面図である。
【図４】  本考案の実施例を示す、一部左側面図である。
【図５】  本考案の歯ブラシのみを示す、底面図である。
【図６】  本考案の他の実施例である正面図である。
【図７】  本考案の他の実施例に使用可能な歯間清掃器具の一部正面図である。
【図８】  本発明の他の実施例に使用可能な歯間清掃器具の一部正面図である。
【符号の説明】
【００１２】１  歯ブラシ
２  歯間清掃器具
３  ストッパーａ
４  ストッパーｂ
５  突起部ａ
６  突起部ｂ
７  空洞
８  ホルダー用蓋
９  ブラシ型歯間清掃器具
１０  ようじ型歯間清掃器具
【図１】
0003104797.tif 000003
【図２】
0003104797.tif 000004
【図３】
0003104797.tif 000005
【図４】
0003104797.tif 000006
【図５】
0003104797.tif 000007
【図６】
0003104797.tif 000008
【図７】
0003104797.tif 000009
【図８】
0003104797.tif 000010
(57)【要約】  【課題】  開閉部材を破損することなく、短時間で着脱を行うことが可能な足袋を提供する。  【解決手段】  足の甲及び足首を覆う甲部１１と足底部１２から成り、甲部１１の後方が足底部１２から甲部１１の上端まで開閉可能となっている足袋１０において、開閉部１３を実質的に踵中央部下端から甲部１１の上端まで、足底平面に対して６０〜８５°の角度で斜めに形成する。これにより、上体を前傾或いは後傾させた姿勢であっても、開閉部材１３１を損傷することなく、短時間で容易に足袋１０の着脱を行うことが可能になる。【選択図】  図１
0003104792.tif 000002
【実用新案登録請求の範囲】
【請求項１】
足の甲及び足首を覆う甲部と足底部から成り、甲部の後方が足底部から甲部上端まで開閉可能となっているものであって、上記開閉部が、実質的に踵中央部下端から甲部上端まで、足底平面に対して６０〜８５°の角度で斜めに形成されていることを特徴とする足袋。
【請求項２】
上記開閉部の上端が、上記甲部の内側に位置するようになっている請求項１の足袋。
【請求項３】
上記開閉部がファスナーで開閉可能となっている請求項1又は２の足袋。
【請求項４】
上記甲部がふくらはぎ部を覆うように長く形成されている請求項１〜３いずれか1項の足袋。
【考案の詳細な説明】
【技術分野】
【０００１】
本考案は、足袋に関する。
【背景技術】
【０００２】
一般的に、足袋は、足の甲及び足首を覆う甲部と足底部から成り、甲部後方には、甲部の開閉を可能とする開閉部が設けられている。開閉部は、こはぜや掛け糸といった開閉部材を備えており、例えばこはぜと掛け糸とを互いに係止することにより、足袋が足に固定されるようにしている。こはぜの代わりにファスナーを設け、開閉を容易に行えるようにしたものもある（特許文献１参照）。
【０００３】
ここで、従来の足袋では、開閉部は、踵中央部下端から甲部上端まで、足底平面に対して概ね垂直になるように形成されている。しかし、開閉部を開閉する際、着用者の上体は前傾或いは後傾しており、開閉部の方向と、体の傾斜方向とが一致していない。従って、開閉の際に開閉部材に無理な力が加わることとなり、開閉部材の破損につながっていた。また、足袋の着脱に時間を要することとなっていた。
【０００４】
【特許文献１】実開昭63-98303号公報
【考案の開示】
【考案が解決しようとする課題】
【０００５】
本考案が解決しようとする課題は、開閉部材を破損することなく、短時間で着脱を行うことが可能な足袋を提供することである。
【課題を解決するための手段】
【０００６】
上記課題を解決するために成された本考案に係る足袋は、足の甲及び足首を覆う甲部と足底部から成り、甲部の後方が足底部から甲部上端まで開閉可能となっているものであって、上記開閉部が、実質的に踵中央部下端から甲部上端まで、足底平面に対して６０〜８５°の角度で斜めに形成されていることを特徴とする。
【０００７】
本考案に係る足袋においては、開閉部を、実質的に踵中央部下端から甲部上端まで、足底平面に対して６０〜８５°の角度で斜めに形成することにより、開閉部の方向と、足袋の着脱の際の着用者の体の傾斜方向とを概ね一致させた。これにより、開閉部を開閉する際（着脱を行う際）に開閉部材に無理な力が加わることがないようにした。
【考案の効果】
【０００８】
本考案に係る足袋では、着脱の際に開閉部材に無理な力が加わることがない。このため、こはぜやファスナー等の開閉部材を破損する恐れがほとんどない。また、開閉部の方向と、足袋の着脱の際の着用者の体の傾斜方向とを概ね一致させることにより、容易に開閉部材を開閉することが可能になる。その結果、足袋の着脱を短時間で行うことが可能になる。
【考案を実施するための最良の形態】
【０００９】
以下に、本考案の一実施例を図を用いて説明する。
本考案の一実施例である図１の足袋１０は、足の甲及び足首部分を覆う甲部１１、足底部１２、開閉部１３から成る。開閉部１３は、踵中央部下端から甲部１１の上端まで、足底平面に対して約８０°の角度で斜めに形成されている。なお、開閉部１３の傾斜角度は、６０〜８５°であればよい。開閉部１３には、開閉部材としてファスナー１３１が設けられており、ファスナー１３１は打ち合わせ領域１１１により覆われるようになっている。これにより、表からはファスナー１３１が見えず、美しい外観とすることができる。なお、必ずしも打ち合わせ領域１１１は設けなくてもよい。
【００１０】
足袋１０を着用する際は、ファスナー１３１を下げて開閉部１３を開口し、足を挿入する。足を挿入した後はファスナー１３１を閉める。これにより、足袋１０を足に固定する。足袋１０を脱ぐ際は、逆の動作を行う。本実施例のファスナー１３１は足底平面に対して約８０°の角度で斜めに取り付けられているため、上体が傾斜した状態で、開閉を無理なく行うことができる。また、ファスナー１３１が甲の内側に固定されているため、座っている際にファスナー１３１が足に強く押さえつけられ、足を痛めることもない。
【００１１】
なお、本実施例では、足首までの長さの足袋の例を挙げているが、甲部がふくらはぎ部を覆うように長く形成された足袋としてもよい。開閉部材としてファスナーを用いた場合は、このような足袋であっても容易に短時間で着脱することが可能である。
また、足袋１０の開閉部１３に、ファスナーの代わりにこはぜ及び掛け糸を設けてもよい。
更に、足袋１０においては開閉部１３を甲部１１の内側に設けているが、もちろん、開閉部１３を甲部１１の外側に設けることも可能である。
【図面の簡単な説明】
【００１２】
【図１】本考案の一実施例に係る足袋の概略構成図。(a)ファスナーを閉じた状態の側面図、(b)ファスナーを開いた状態の側面図、(c)上方から表した平面図、(d)裏面（足底側）から表した平面図。
【符号の説明】
【００１３】
１０…足袋
１１…甲部
１１１…打ち合わせ領域
１２…足底部
１３…開閉部
１３１…開閉部材（ファスナー）
【図１】
0003104792.tif 000003
(57)【要約】【課題】主に建材用として使用されていた調湿・消臭機能を持った珪藻土板を靴の中に入れられるようにするとともに芳香機能を持たせる。【解決手段】珪藻土板を長さ１０ｃｍ、巾３ｃｍの短冊形１に切断し、香料２に浸す。通気性を持たせるため横長に打ち抜いた空間を設けた紙パッケージ３に入れる。【選択図】図２
0003104749.tif 000002
【実用新案登録請求の範囲】
【請求項１】
短冊形に切断した珪藻土板１を香料２に浸し、吸着させ、通気性を持たせた紙パッケージ３に入れる。以上のように構成された芳香・調湿・消臭の靴用珪藻土プレート。
【考案の詳細な説明】
【考案の開示】
【考案が解決しようとする課題】
【０００１】従来、珪藻土板を使った調湿・消臭材は建材用として存在していたが、形状も大きく、芳香もなく靴の中に入れるような小さいものはなかった。
【課題を解決するための手段】
【０００２】珪藻土板を長さ１０センチ×幅３センチに切断し形状を小さくし、香料（ヒノキ・フォレスト等）を０．５ＣＣ含ませ香りをつけた。通気性を持たせるため横長に打ち抜いた空間を設けた紙パッケージに入れる。
【考案の効果】
【０００３】珪藻土板はスラグ石膏と珪藻土を混合したものであり吸放湿機能・ＶＯＣの吸着・悪臭の吸着・カビ、ダニを抑制するといった特長を持った自然素材である。形状を小さくすることにより靴の他タンスの引出し・カバン等閉め切られた小空間に利用できるようになった。又、靴敷のように足の大きさ・形状に合わせて製作するのではないため紳士・婦人用、運動靴、ブーツ等あらゆるタイプの靴に使用できる。香料を含ませることにより従来の調湿・消臭機能を損なうことなく調湿・消臭し香りを放すようになった。コストが非常に安価であり、使用するときは脱いだ後の靴の中に入れるだけであり、すると珪藻土プレートが湿気を吸着し又足臭を消臭し香りのみが残るようになった。
【図面の簡単な説明】
【０００４】
【図１】切断した短冊形の珪藻土プレートの斜視図である。
【図２】珪藻土プレートを香料に浸している図である。
【図３】横長に打ち抜いた空間を設けた紙パッケージの斜視図である。
【図４】珪藻土プレートを紙パッケージに入れた断面図である。
【符号の説明】
１  珪藻土プレート
２  香料
３  紙パッケージ
【図１】
0003104749.tif 000003
【図２】
0003104749.tif 000004
【図３】
0003104749.tif 000005
【図４】
0003104749.tif 000006
(57)【要約】      （修正有）【課題】取り外しが容易に出来る嵌合機能を備えた洗車用ブラシを提供する。【解決手段】ブラシ柄２の先端部に凸ネジ３を備え、該ネジに嵌合する凹ネジを棒状柄の先端部に備えた構成よりなる。【選択図】図１
0003104743.tif 000002
【実用新案登録請求の範囲】
【請求項１】
短い柄のブラシの柄の先端にネジを備え、該ネジに嵌合するネジを有する棒状の柄にかかり、棒状の柄をブラシ柄のネジに回転動作で容易に取り付け、取り外しが出来る洗車用延長ブラシ。
【考案の詳細な説明】
【技術分野】
【０００１】この考案は短い柄のブラシと棒状の柄にかかり、短い柄の先端部にネジを設け該ネジに嵌合するネジを備えた棒状の柄の構成にかかる。
【背景技術】
【０００２】従来の洗車用ブラシは適宜長さの柄がついているものであり、ボンネット部の洗車はブラシ部を持っても洗車をすることが出来るが屋根部は高くて手が届かないために踏み台を使用しなければならなかった。
【考案の開示】
【考案が解決しようとする課題】
【０００３】短い柄のブラシ部に棒状の柄を回転動作で取り付け、取り外しが容易に出来る嵌合機能を備えた洗車用ブラシ。
【課題を解決するための手段】
【０００４】ブラシ柄２の先端部に凸ネジ３を備え、該ネジに嵌合する凹ネジ４を棒状柄５の先端部に備えた構成よりなる洗車用ブラシである。
【考案の効果】
【０００５】ブラシ部に備えたネジに嵌合するネジを棒状柄の先端部備えた構成のブラシで回転動作のみで容易にしっかりと取り付けが出来、取り外しも簡単に出来る。
【考案を実施するための最良の状態】
【０００６】以下本考案の実施例について説明する。
ブラシ１の柄２の長さは手で掴んで自動車のボンネット、側面、前面、後面の洗車を行うので３０ｃｍ程度の長さでよく屋根の洗浄は棒状柄の凹ネジ３をブラシ柄２の凸ネジに回転動作のみでつないで延長ブラシとして洗車することが出来る。
【図面の簡単な説明】
【０００７】
【図１】      短い柄のブラシ部の斜視図
【図２】      棒状柄部の斜視図である。
【符号の説明】
【０００８】        １・・・・・ブラシ
２・・・・・ブラシ柄
３・・・・・凸ネジ
４・・・・・凹ネジ
５・・・・・棒状柄
【図１】
0003104743.tif 000003
【図２】
0003104743.tif 000004
(57)【要約】      （修正有）【課題】女性の生理時の脱臭を主な目的として、脱臭効果のある炭繊維を使用したパンティを提供する。【解決手段】股間部は、内面となる撥水性の布地４を、炭素繊維５の上に配し、通気性の良い布地６を外面に配して縫合し、のパンティの股間部１が、２及び３の着脱部で、釦、ホック等の留め具で接合、分離する。股間部を分離せず、一体化して縫製する。【選択図】図１
0003104750.tif 000002
【実用新案登録請求の範囲】
【請求項１】
（イ）パンティの股間部の中層に炭素繊維を配し、内面に撥水性の布地を配し、外面に通気性のある布地を配して縫合する。
（ロ）パンティの股間部が着脱できる。
以上の如く構成された、炭素繊維を使用した女性用パンティ。
【請求項２】
股間部が着脱せず、一体化されて縫製された請求項１の炭素繊維を使用した女性用パンティ。
【考案の詳細な説明】
【考案の詳細な説明】
【技術分野】
【０００１】  この考案は、炭素繊維を使用した、女性の生理時を対象としたパンティに関するものである。
【背景技術】
【０００２】  パッド及び生理用ナプキン及びこれに類するものはあるが、本考案のごときものはない。
【考案が解決しようとする課題】
【０００３】  本考案は、女性の生理時の脱臭を主な目的として、脱臭効果のある炭繊維を使用したパンティを開発する。
【課題を解決するための手段】
【０００４】    いま、その解決手段を図面をおいながら説明すれば、
▲１▼  股間部は、内面となる撥水性の布地（４）を、炭素繊維（５）の上に配し、通気性の良い布地（６）を外面に配して縫合する。
▲２▼  パンティの股間部（１）は、（２）及び（３）の着脱部で、釦、ホック等の留め具により分離、接合する。又は、分離せず一体化して縫製する。
【考案実施の形態】
【０００５】▲１▼  本考案のパンティの使用時は、股間部を接合して一体となして使用する。
▲２▼  炭素繊維は、家庭用の一般的な洗剤及び柔軟仕上げ剤等を忌避するため、洗濯時においては股間部を分離して別途に適合する洗剤を使用するか水洗いする。
【考案の効果】
【０００６】▲１▼  生理時に、生理用ナプキンから洩れる臭気を、股間部の炭素繊維が吸着して消臭する。
▲２▼  この為、生理時の精神的安定が得られる。
▲３▼  炭素繊維の有する遠赤外線効果、抗菌効果等が、健康上にプラスに作用する。
【図面の簡単な説明】
【０００７】
【図１】  本考案のパンティの略図及び股間部分の断面図。
【図１】
0003104750.tif 000003
(57)【要約】【目的】末端消費者でも家庭用の縫い針を使用して皮革製小片（例えば、皮革製ワッペン）を取付対象に取り付けることが出来るようにする。【構成】本考案は、縫い針を通すことの出来る大きさの取付用小孔（１３，２３）が予め複数個開けられていることを特徴とする皮革製小片である。皮革製小片としては、例えば、ワッペン、バッジ、アップリケの中から選択される装飾体や、ボタン、ベルト、バンドの中から選択される実用品とすることが出来る。【選択図】図１
0003104744.tif 000002
【実用新案登録請求の範囲】
【請求項１】
縫い針を通すことの出来る大きさの取付用小孔（１３，２３）が予め複数個開けられていることを特徴とする皮革製小片。
【請求項２】
ワッペン、バッジ、アップリケの中から選択される装飾体である請求項１記載の皮革製小片。
【請求項３】
ボタン、ベルト、バンドの中から選択される実用品である請求項１記載の皮革製小片。
【考案の詳細な説明】
【技術分野】
【０００１】
本考案は、天然又は人工皮革を使用した小片に関する。本発明は、例えば、装飾体（ワッペン、バッジ、アップリケ、等）や実用品（ボタン、ベルト、バンド、等）であり、衣服やかばん等の取付対象に容易に縫いつけ出来るようにした小片に関する。
【背景技術】
【０００２】
例えば、皮革製のワッペンを衣服に取り付けるとき、家庭用の縫い針では皮革を貫通させることが困難である。そのため、そのようなワッペンは工場で予め縫製機械を用いて縫いつけている。
【０００３】
工場での取付け方法の一例として下記特許文献１の方法が知られている。
【特許文献１】特表平１１−５１０４０８号公報
【考案の開示】
【考案が解決しようとする課題】
【０００４】
上記従来技術では、縫製・取付機械などを持たない消費者が家庭で自分の好みに合わせて皮革製小片を取り付けることが出来ない。そのような取付が必要な場合としては、例えば、（１）自分で好みのワッペン等を取り付けるとき、（２）市販状態で取り付けられていたワッペン等が破損したので自分で修理するとき、（３）市販状態で取り付けられていたワッペン等に飽きが来て取り替えるとき、（４）衣服やバッグを自作するとき、などがある。本考案は、末端消費者でも家庭用の縫い針さえあれば簡単に取付対象に取り付けることが出来るようにした皮革製小片を提供することを目的とする。
【課題を解決するための手段】
【０００５】
本考案の皮革製小片は、縫い針を通すことの出来る大きさの取付用小孔が予め複数個開けられていることを特徴とする。
【考案の効果】
【０００６】
本考案の皮革製小片によれば、縫い針を通すことの出来る大きさの取付用小孔が予め複数個開けられているので、消費者は家庭内で通常の縫い針を使用して簡単に皮革製小片を取り付けることが出来る。
【考案を実施するための最良の形態】
【０００７】
本考案が対象とする皮革製小片は、例えば、ワッペン、バッジ、アップリケの中から選択される装飾体や、ボタン、ベルト、バンドの中から選択される実用品とすることが出来る。皮革は天然でも人工でもよい。
【０００８】
取付用小孔は皮革製小片の周縁部に設けることが好ましいが、中心部その他であってもよい。ミシン目のように多数の孔を一定間隔で設けるのが好ましい。この穴開け作業はもちろん工場で穴開け機械又は糸を付けないミシンを使用して行い、穴あき状態のものを出荷することになる。
【実施例１】
【０００９】
以下、添付の図面に基づき、本考案の実施例を説明する。
【００１０】
図１は、皮革製の一対の固定用バンドである。左側バンド１０の本体１１右端にボタンの雄部材１２が取り付けられ、右側バンド２０の本体２１左端にボタンの雌部材２２が取り付けられている。雌雄のボタン１２，２２を着脱させることによりバンドが開閉される。このバンドは、例えば、財布（図示せず）の裏面と表面にそれぞれ取り付けて、財布が自然に開かなくするために用いられる。
【００１１】
本考案の特徴は、図１、図２に示すように、バンドの周縁部に予めミシン孔のような小孔１３、１４を多数開けていることである。
【００１２】
消費者は、このバンドを購入することにより、家庭内で縫い針を使用して、自分で工夫しながら様々なものに取り付けることが出来る。
【図面の簡単な説明】
【００１３】
【図１】皮革製の一対の固定バンドである。（ａ）は左側バンド、（ｂ）は右側バンドの正面図である。
【図２】図１の２−２断面図である。
【符号の説明】
【００１４】
１０  左側バンド
１１  本体
１２  雄部材
１３  小孔
２０  右側バンド
２１  本体
２２  雌部材
１２，２２  ボタン
【図１】
0003104744.tif 000003
【図２】
0003104744.tif 000004
(57)【要約】【課題】  安眠に適した寝具であって、しかも、睡眠中に健康を促進する寝具を提供する。【解決手段】  布地の間に、秋田県八幡平玉川温泉で採取した湯の花を混入した繊維層を収容して成すことを特徴とすることで、前記の湯の花に微量に含まれるラジウム・トリウム・アクチニウムに属する放射能が人体に好影響を与える寝具とした。【選択図】図１
0003104742.tif 000002
【実用新案登録請求の範囲】
【請求項１】
布地の間に、秋田県八幡平玉川温泉で採取した湯の花を混入した繊維層を収容して成ることを特徴とする健康寝具。
【考案の詳細な説明】
【技術分野】
【０００１】  本考案は、睡眠中に身体に作用して健康を促進する寝具に関するものである。
【背景技術】
【０００２】  従来、健康を促進する寝具としては、磁石を配したものや、ツボを刺激する突起を形成したもの等が提案されている。
【考案の開示】
【考案が解決しようとする課題】
【０００３】  しかしながら、上述したような従来の磁石や突起を配した寝具は、使用する人の体格や体形によっては、健康を促進する寝具としての効果を好適に得られないという問題があった。
【課題を解決するための手段】
【０００４】  本考案に於いては、布地の間に、秋田県八幡平玉川温泉で採取した湯の花を混入した繊維層を収容して成ることを特徴として、前述の湯の花に微量に含まれるラジウム・トリウム・アクチニウムに属する放射能が人体に好影響を与える寝具とした。
【考案の効果】
【０００５】  本考案によれば、布地の間に収容する繊維層に混入した秋田県八幡平玉川温泉で採取した湯の花に微量に含まれるラジウム・トリウム・アクチニウムに属する放射能が人体に好影響を与えることが期待され、使用する人の体格や体形によることなく、健康を促進する寝具としての効果を向上させることができる。
【考案を実施するための最良の形態】
【０００６】  以下、本発明の実施の形態について、図面を参照して説明する。
図１に示すように、健康寝具１は、上下の布地２の間に秋田県八幡平玉川温泉で採取した湯の花４を混入した繊維層３を収容して成ることを特徴として、前述の湯の花４に微量に含まれるラジウム・トリウム・アクチニウムに属する放射能が人体に好影響を与える寝具とした。
【図面の簡単な説明】
【０００７】
【図１】  本考案にかかる健康寝具の構成を示した断面図である。
【符号の説明】
【０００８】  １  健康寝具
２  布地
３  繊維層
４  秋田県八幡平玉川温泉で採取した湯の花
【図１】
0003104742.tif 000003
【手続補正書】
【提出日】平成16年6月1日(2004.6.1)
【手続補正１】
【補正対象書類名】実用新案登録請求の範囲
【補正対象項目名】全文
【補正方法】変更
【補正の内容】
【実用新案登録請求の範囲】
【請求項１】
寝具であって、綿状の繊維に秋田県八幡平玉川温泉で採取した湯の花４を混入定着させて形成した繊維層３を有し、前述繊維層３の全体を布地２で被覆して収容して成すことを特徴とする健康寝具。
(57)【要約】［課題］  自動回転扉内部の回転部分と外枠壁との間に体が挟まれる事故を防止するために回転部分の外側部分が折れ曲がる構造とする。［解決手段］回転扉を内側の回転固定部分４と外側の折れ曲がり部分５に二分して外側の折れ曲がり部分５の中心寄りの上下箇所を上部回転支持棒２と下部回転支持棒３にそれぞれ取り付け軸６，７により取り付ける。  平常時はこの外側折れ曲がり部分の遠点はロック機構９により上部回転支持棒２に固定され、折れ曲がり部分５は回転支持棒２とともに回転する。    もし回転扉外側の折れ曲がり部分５と外側壁１との間に体が挟まれた場合はセンサーが感知して自動ロック解除機構８が作動して外側折れ曲がり部分５の遠点が回転支持棒２から遊離し回転することで挟まれた体が圧迫から開放される。  センサーが作動しなかった場合は手動ロック解除機構９を操作することにより同様の効果が得られる。［選択図］  図１【実用新案登録請求の範囲】
【請求項１】
回転扉の回転扉部分の外側部分が折れ曲がるような機構を有する回転扉。
【考案の詳細な説明】
【考案の詳細な説明】
【０００１】    ［考案が解決しようとする課題］
従来、回転扉の回転部分はガラス板が中心部の回転軸に取り付けられておりこの回転部分の先端と外枠に通行人が挟まれた場合にはセンサーの感知により回転部分が自動停止する機構になっている。しかしセンサーが感知できなかった場合や感知して自動停止した場合でも通行人が外枠との間に挟まれて危険であった。
【０００２】    ［課題を解決するための手段］
この危険を回避するために回転扉の回転部分の外側部分が折れ曲がようにした。
【０００３】    ［考案の効果］
回転扉の回転部分の外側部分が折れ曲がることで通行人が外枠との間に挟まれた場合にでも強度の圧迫を回避できる効果が期待できる。
【図面の簡単な説明】［図１］
本考案の概念図である
［図２］
扉上部回転部分の折れ曲がり機構およびロック機構の断面図である。
［図３］
扉上部回転部分の折れ曲がり機構およびロック機構の立断面図である。
［図４］
扉下部回転部分の折れ曲がり機構の断面図である。
【符号の説明】
１  回転扉の回転部分の外側壁
２  回転扉の上部回転支持棒
３  回転扉の下部回転支持棒
４  回転扉の固定部分
５  回転扉の折れ曲がり部分
６  回転扉の回転部分の上部取り付け軸
７  回転扉の回転部分の下部取り付け軸
８  回転扉の自動ロック解除機構
９  回転扉の手動ロック解除機構
【図１】
0003104748.tif 000002
【図２】
0003104748.tif 000003
【図３】
0003104748.tif 000004
【図４】
0003104748.tif 000005
(57)【要約】【課題】被測定物のストッパー突き当て面が、巻尺幅より狭い凹み角部や凹み曲面でも、突き当てが可能な巻尺ストッパーにする。【解決手段】ストッパーの形状を、巻尺先端の片側または両側に爪を出して被測定物からの逃げをつくり、この爪を突き当てることによって、巻尺幅以下の凹み角部や、凹み曲面などにも突き当てることを可能にした。〔図４〕参照【選択図】図１
0003104779.tif 000002
【実用新案登録請求の範囲】
【請求項１】
巻尺先端部の片側または両側に、凹み面突き当て用の爪２を持つ巻尺ストッパー。
【考案の詳細な説明】
【技術分野】
【０００１】本考案は凹み角部や凹み面への突き当てを行う、巻尺ストッパーに関するものである。
【背景技術】
【０００２】従来から巻尺先端部には被測定物への突き当て具として、いわゆるストッパーは存在していたが、ストッパー突き当て部の寸法は巻尺幅とほぼ等しいものが多く、被測定物の突き当て部が巻尺幅より小さい凹み面には正確に突き当てられなかった。
【考案の開示】
【考案が解決しようとする課題】
【０００３】角型開口部の対角線や丸穴と丸穴との間隔を測定する場合、従来のストッパーでは幅が広過ぎて正確に当てられない為、点接触型のストッパーに形状変更するものである。
【課題を解決するための手段】
【０００４】上記問題点を解決するため、ストッパー形状を巻尺先端の片側または両側に爪を出したものにして、この爪を突き当てることで巻尺幅以下の、凹み角部や凹み曲面などにも突き当てることを可能にした。
【考案の効果】
【０００５】例として、角型の開口部で対角線などの内寸を測る際、この爪を角部に突き当てて測ることが出来る。従来のストッパーは凹み角部には突き当てることが出来ない。
〔図４〕参照
【図面の簡単な説明】
【０００６】
【図１】この考案を両側に施したストッパーを取り付けた巻尺先端部の斜視図である。
【図２】ストッパーの平面図である。
【図３】ストッパーの正面図である。
【図４】使用状態を示す斜視図である。
【符号の説明】
【０００７】      １    ストッパー                      ４    被測定物
２    爪出し形状の部分                Ｗ    巻尺の幅長
３    巻尺
【図１】
0003104779.tif 000003
【図２】
0003104779.tif 000004
【図３】
0003104779.tif 000005
【図４】
0003104779.tif 000006
(57)【要約】      （修正有）【課題】本考案は複数枚から成る書類に割り印を効率よく押すための割り印用台を提供する。【解決手段】２枚の板をヒンジを介して連結してなる割り印用台であって、該２枚の板が概平行になる時に割り印を押す書類が該２枚の板の対向する２側面間に挟まれて固定されるように該２側面間の間隔が該書類の厚さ以下であることを特徴とする割り印用台である。この２側面の少なくとも一方の表面が弾性体から成ってもよい。【選択図】図５
0003104759.tif 000002
【実用新案登録請求の範囲】
【請求項１】
２枚の板をヒンジを介して連結してなる割り印用台であって、該２枚の板が概平行になる時に割り印を押す書類が該２枚の板の対向する２側面間に挟まれて固定されるように該２側面間の間隔が該書類の厚さ以下であることを特徴とする割り印用台。
【考案の詳細な説明】
【技術分野】
【０００１】
本考案は、複数枚から成る書類に割り印を押すための割り印用台に関する。
【背景技術】
【０００２】
従来、複数枚から成る書類に割り印を押すには、一枚一枚めくって押印するという煩雑な操作が必要であった。また、可動板を設けて書類端を挟む割り印用台も考案されているが（実開昭64-20354）、書類を固定するための操作が煩雑であり、複数部の同じ書類に割り印を押す場合には書類の交換に手間がかかるものであった。
【考案の開示】
【考案が解決しようとする課題】
【０００３】
本考案は複数枚から成る書類に割り印を効率よく押すための割り印用台を提供する。
【課題を解決するための手段】
【０００４】
本考案は、２枚の板をヒンジを介して連結してなる割り印用台であって、該２枚の板が概平行になる時に割り印を押す書類が該２枚の板の対向する２側面間に挟まれて固定されるように該２側面間の間隔が該書類の厚さ以下であることを特徴とする割り印用台である。
【考案を実施するための最良の形態】
【０００５】
図１は、本考案の割り印用の台の上から見た平面図で、見える部分は板の上面１である。この上面１は下面２と一体又は同一の材質から成るものであってもよいし、押印を容易にするために上面１がゴム板等の弾性体の板を貼りつけたものであってもよい。
図２は、第１図を裏から見た平面図で、見える部分は下面２である。この下面２の材質は木、プラスチック、金属等であってもよい。これら２枚の板はヒンジで連結される。ヒンジは金属製又は剛性プラスチック製の蝶番、ゴムやプラスチックなどの弾性体の板であってもよい。また全体をプラスチックで作る場合にはプラスチックを弾性のあるものとすれば特にヒンジを設けずとも、ヒンジ相当部分のプラスチックの厚さを薄くすれば、例えばいわゆるＰＰヒンジのように、それ自体でヒンジの役割を果たすこともできる。
【０００６】
図３は、図１と図２の側面図を示す。２枚の板の間隔（即ち、対向する２側面間の間隔は、挟みこむ書類の厚さ以下である必要がある。これにより、書類がしっかりと台に固定される。本考案の構造によれば、押印のために台に力がかかると、その力は２枚の板の間隔を狭くする方向に力がかかり、より一層書類が台に固定される結果となる。また、書類の厚さが対向する２側面間の間隔より厚い場合には、２枚の板が完全に閉じず、即ち、２枚の板が平行にはならず、少し山なりになるが、それでも押印に作業に特に支障にはならない。
これらの不具合を調整するために、図４に示すように、２枚の板の側面の少なくとも一方の表面が弾性体から成っていてもよい。この弾性体として、ゴム、スポンジ、ばね等を用いてもよい。このように弾性体を介して書類を挟みこめば、書類に厚さに関わらず、書類を挟みこんだ場合に２枚の板がほぼ平行になることができる。
【０００７】
図５を用いて割り印を押す作業の手順を説明する。（Ａ）２枚の板をヒンジ部分で折り、ホッチキス等で留めた数枚の書類を、その留めた部分を２枚の板の開いたところに差し入れる。（Ｂ）次に、２枚の板を平行にすると、書類は２枚の板の間に固定される。書類のページを繰り、各ページの合わせ目に割り印を押し、ページを繰りながら他ページにも同様に割り印を押す。割り印を押し終わったら、（Ａ）のように２枚の板をヒンジ部分で折り、書類を入れ替えて、同様の操作を繰り返す。
【図面の簡単な説明】
【０００８】
【図１】本考案の割り印用の台の平面図である。
【図２】本考案の割り印用の台の裏面図である。
【図３】本考案の割り印用の台の側面図である。板の上面に弾性体（例えばゴム）の板が貼られている。
【図４】本考案の別の割り印用の台の側面図である。板の側面に弾性体が設けられている。
【図５】本考案の割り印用の台の実施態様を示す図である。(A)は、書類を挟みこむために割り印用の台を開いた様子を示し、(B)は割り印用の台を閉じて書類を挟みこんだ様子を示す。
【符号の説明】
【０００９】
１  板の上面
２  板の下面
３  ヒンジ
４  弾性体
５  割り印を押すべき書類
【図１】
0003104759.tif 000003
【図２】
0003104759.tif 000004
【図３】
0003104759.tif 000005
【図４】
0003104759.tif 000006
【図５】
0003104759.tif 000007
(57)【要約】      （修正有）【課題】夏季露天に自動車を駐車した際に、車内温度が過速度的に上昇し、車内の幼児が死にいたるいたましい車内事故が発生するのを防止する。【解決手段】自動車の車内温度はダッシーボード部から上りはじめる。３０〜３５度Ｃの温度センサースイッチを回路に入れた電動ファンの補助装置を装着すると熱せられた空気は上方に吹きあげられる。車内天井部に装着された主装置の温度センサースイッチが吹きあがってきた熱風を感知して電動ファンを作動させて熱風を車外に排出する。主装置は内部の回路に温度センサースイッチを組み込み、所定温度でＯＮ−ＯＦＦする構造になっている。【選択図】図１
0003104752.tif 000002
【実用新案登録請求の範囲】
【請求項１】
自動車のバッテリーを電源とし、照明装置と温度センサースイッチ付きの電動ファンを一体構造とした自動車の車内換気装置。
【請求項２】
自動車のバッテリーまたは太陽光発電装置を電源とし、温度センサースイッチ付きの電動ファンで、自動車のダッシーボードに装着する構造の自動車の車内換気装置。
【考案の詳細な説明】
【技術分野】自動車産業の分野に活用すれば自動車の安全と販路拡大に多大の貢献をすることができる。
【背景技術】この考案は、実新登録第３０５５２９４号をさらに改良し車内の高温化を急速に解消する目的で新たに研究開発された装置。
【考案の開示】
前記の実新登録第３０５５２９４号に係る装置は、自動車の車内天井部に設置されていたが、日照により最も早く高温度となる車内のダッシーボード周辺の空気を急速に排出できる装置である。
【考案が解決しようとする課題】
夏季直射日光の露天に駐車した自動車の車内は温度が過速度的に上昇し、６５度Ｃ以上になり幼児が死亡するなどの車内事故が毎年多数発生している。
このいたましい事故となる課題を解決するのがこの考案の目的です。
【課題を解決するための手段】
車内の熱せられた空気はダッシーボードの左と右にとり付けられた温度センサースイッチ付の小型ファン（補助装置と称す）が作動して熱風を車内上方に吹き上げると、車内天井部にとり付けられた温度センサースイッチ付の電動ファン（主装置と称す）のスイッチが入り車内天井内帳りと屋根の間を通って車外に排出される。
この主装置には室内照明燈を一体構造として組み込んである。
【考案の効果】
この考案の装置を現車に装着して実車テストの結果下記の通り。
気象条件（１２時〜１３時）
気温  ３０度Ｃ．  快晴無風．  露  天．
コンクリート舗装の駐車場
テスト開始１時間後の自動車内
装置を装着した車内温度    ４０度Ｃ
装置を装着しない車内温度  ６６度Ｃ
上記のとおり、この考案に係る換気装置の効果は絶大です。
【考案を実施するための最良の形態】この考案の装置は、小規模な電子部品工場でも生産が可能で、自動車生産会社が自動車を組みたてる段階でこの装置を組み込むのが最良の形態である。
【実施例】この考案は前記のとおり主装置と補助装置から成り、主装置を車内上部に装着し、補助装置は車内前部のダッシーボード上に装着する。
電源は自動車のバッテリーを用い、主装置は既設の照明燈の配線を用い、補助装置にはシガライタから電源をとるのが最良の方法である。
【産業上の利用可能性】この考案の装置を日本国内の自動車はもちろん、海外諸国の自動車１００台に１台の割合で装着したらいかがでしよか・・・？
おそらく天文学的数字の数の装置の利用可能性が生じます。
【図面の簡単な説明】
【図１】この考案の装置を装着した自動車の側面図
【図２】主装置の平面図
【図３】補助装置の平面図
【符号の説明】
Ａ・・自動車の天井内帳り      Ｂ・・自動車の屋根
Ｃ・・排  気  口              Ｄ・・ダッシーボード
１・・主  装  置              ２・・電動ファン
３・・室  内  燈              ４・・電動ファンスイッチ
５・・室内燈スイッチ          ６・・作動表示燈
７・・補助装置
【図１】
0003104752.tif 000003
【図２】
0003104752.tif 000004
【図３】
0003104752.tif 000005
(57)【要約】      （修正有）【課題】双方向への同時送風が可能になり、万が一ファンに、異物が巻き込まれても、安全装置により、簡単にファンの回転が止まり、機械本体の破損や、人体への影響が大幅に軽減される、安全装置付双方向扇風機を提供する。【解決手段】モーターとファンを直接接続せず、途中に、山形のギヤー３つ使って動力を分散させて、それぞれ双方向に取り付けられた、ファンを回転させる事が可能になり、山形の形をしているので、互いのギヤーが接触しない範囲で、送風角度が変えられる。安全装置については、永久磁石の吸引力の力を利用して、動力を伝えているので万が一の時には、磁石の接着部分がはがれて、動力をカットできるようになる。停止後の修復も磁石の力で再び接着するので、簡単に戻る。【選択図】図１
0003104751.tif 000002
【実用新案登録請求の範囲】
【請求項１】
モーターを縦方向の配置し、そのモーターに「山形」のギヤーを取り付けて、さらに別の２つの山形ギヤーを利用し、動力を双方向に分配して、２つのファンを取り付けて、且つ、モーターから送られた動力を、直接ファンに通さず、途中に「永久磁石」を利用した安全装置を取り付けて、また片側のみの送風を停止出来る、永久磁石付の「クラッチ装置」を備えた、双方向扇風機。
【考案の詳細な説明】
【技術分野】
【０００１】  本考案は、扇風機の安全性向上と風向拡大に関する。
【考案の開示】
【考案が解決しようとする課題】
【０００２】  従来の機種は、１つのモーターに１つのファンを直接とりつけて、首振り機能にて、風を当る範囲を広げていたが、それでは、常時風が当らないという状態があった。
さらに、回転中のファンに異物が混入した場合には、ファンの破損や人体へのなどの危険を伴う事がある。また、本体直接取り付けタイプのコードでは、コードに足などが引っ掛けて、本機あるいは人自身の転倒によるケガもありえます。
【課題を解決するための手段】
【０００３】  そこで、本考案は、動力源のモーターは１つでも、動力を双方向へ分配できるように「山形のギヤー」を使って、動力をファンに伝えるようにしました。【０００４】  山形のギヤーを使うことにより、片側のファンは固定しても、もう片方のファンは、ある程度の範囲内で、送風角度を任意の位置へ調整できるようになります。【０００５】  安全装置においては、モーターからの強力な力を従来のように直接ファンに伝える事はせずに、ファンに取り付けたシャフトと動力源との間に「永久磁石」を利用して磁石の、吸引力のみで、ファンと動力側を連結させることによって、万が一ファンに異物が巻き込まれても、磁力のみの力で取り付けられているので、容易に、動力がカットされ回転が停止します。【０００６】  また、片側のファンには、同じく「永久磁石」を利用した、クラッチ装置も装着されていますので、片側の送風が不要な時は、片側のみの運転も可能です。【０００７】  電源コードは、本体との脱着タイプを利用して容易に外れやすくします。
【考案の効果】
【０００８】  従来の機種では出来なかった双方向への同時送風が可能になり、万が一ファンに、異物が巻き込まれても、安全装置により、簡単にファンの回転が止まり、機械本体の破損や、人体への影響が大幅に軽減されます。
【考案を実施するための最良の形態】
【０００９】  本考案の図を説明致します。【００１０】  本体に、７のモーターを縦置きに取り付けます。【００１１】  ７のモーターの先端に、８の山形のギヤーを取り付けて、モーターからの動力を伝えます。【００１２】  １のファンへは、モーターの先端と同じ形９の山形のギヤーを取り付けたシャフトにて動力を伝えますが、途中に４の連結部分には、片側には、永久磁石を取り付けた物。
もう片側には、鉄のパネルを取り付けて、磁石の力だけで、接着しておきます。【００１３】  また、ファンには、前後に動けるようにしておきますが、連結部分からはずれても、１３のストッパーにてすり抜け防止の処置が出来るようになっております。【００１４】  ２のファンへは、９と同じ形のギヤー１０を取り付けたシャフトで動力を伝えますがこちらにも、同じく永久磁石を用いた連結方式で、安全装置を兼ねて動力を手動でカットできるクラッチ装置５を取り付けて、６のレバーで入り、切りが出来るようにしてあり、ファン２のシャフトのクラッチ部分の形状は角型で空回りしないようにします。【００１５】  連結用の永久磁石の強さは、あまり強いと動力が切れにくくなりますので、本体を傾けても、ファン軸が外れ無い程度で良く、ファンが回転すれば、ファンの前後に気圧の差が生じることにより、ファンは自然と４の方へ押されるようになり、その回転が増せば増すほどより強い力で、４は圧着されますので回転中に連結部分から外れて回転が停止するという事は、無いと考えられます。
また、回り始めは、多少空転しますが、徐々にファン側の回転が上がれば、空転は無くなります。【００１６】  １のファンは固定ですが、２のファンは、３のリベットにより２のファンの胴体が１のファンの胴体に差し込まれるように固定されており、且つ動力の伝達方式を山形のギヤーを使っておりますので、９と１０のギヤーが互いに接触しない範囲ないで自由に風向を変えられまして、任意の位置で、１２の固定用留め具で固定します。【００１７】  電源の取り入れについては、従来の本体取り付けではなく、オーディオなどに使われている、脱着できるようにしたコードを用いて本体とコードを分離しておく。【００１８】  モーターから上部と下部は１１の可動できる軸でつないで、ある程度は前後に傾けられるようになっています。【００１９】  ３のリベット軸に、給油用の穴を設けて、ギヤーへの磨耗防止の給油が出来るようになっております。
【図面の簡単な説明】
【００２０】
【図１】    本考案の実施形態を表す断面図
【図２】    本考案の上から見た外観図
【図１】
0003104751.tif 000003
【図２】
0003104751.tif 000004
(57)【要約】【課題】  身体障害者、老人、麻痺足の方々は足が不自由な為に、車椅子の乗降時に於いて怪我をし易い環境にありますので足を乗せる場所を滑らない様にする必要があます。【解決手段】  身体障害者、老人、麻痺足の方々が乗降する車椅子（１）のフットレスト（２、３）に足が接触しても怪我をしない様に、柔らかく弾力性があり滑らない材質のネオプレン製の器具でカバーすれば、足がフットレストに接触しても柔らかく弾力性もあり滑らない為に安全に車椅子に乗降する事が可能となる。【選択図】  図１
0003104729.tif 000002
【実用新案登録請求の範囲】
【請求項１】
身体障害者、老人、麻痺足の人等の使用する車椅子（１）に設けられている足掛け部分のフットレスト（２、３）が滑り易い部材と平滑な構造であるため、乗降時に足を滑らせ足が落ちる危険性があり滑り止めに有効で弾力性のあるネオプレンのシート部材を袋状にしてフットレスト（２、３）に容易に着脱を可能にしたフットレストソックス（４）。
【考案の詳細な説明】
【技術分野】
【０００１】  本考案は、身体障害者、老人、麻痺足の方等、足の不自由な方々が安全に車椅子に乗降が出来る様にフットレストに装着する器具である。
【背景技術】
【０００２】  身体障害者、老人、麻痺足の方々が車椅子の乗降に於いて足が不自由な為にフットレストから足が落ちたりして怪我をされる場合が多々発生しているのが現状であり対策が必要である。
【考案の開示】
【考案が解決しようとする課題】
【０００３】  身体障害者、老人、麻痺足の方々は足が不自由な為に、車椅子の乗降時に於いて怪我をし易い環境にありますので足を乗せる場所を滑らない様にする必要があます。
【課題を解決するための手段】
【０００４】  身体障害者、老人、麻痺足の方々が車椅子の乗降時に必ず足を乗せる場所であるフットレストを滑らなくて柔らかい材質の物品でカバーする事により解決する。
【考案の効果】
【０００５】  身体障害者、老人、麻痺足の方々自身と介護する方々にも車椅子に乗降する人々が足を滑らして怪我をする様な事が無くなれば安心して車椅子の乗降が出来て大変メリットのある器具であります、具体的には以下の通りです。
１滑り止め効果−車椅子に座っている際、足が不自由な方や麻痺がある方がフットレストから足が落ちるのでそれを防ぐのを目的にしている。
２表皮剥離軽減効果−車椅子からベットや椅子に移乗する際、下腿に表皮剥離が出来やすいがフットレストを保護することで防止できる。
３−白癬等で靴下が履けない方は、素足で使用でき適度な弾力があり快適に足を置くことができる。
４−汚れても水で丸洗いできる。
【考案を実施するための最良の形態】
【０００６】  身体障害者、老人、麻痺足の方々が乗降車する車椅子（１）のフットレスト（２、３）に足が接触しても怪我をしない様に、柔らかく弾力性があり滑らない材質ネオンプレン製の本考案の器具でカバーすれば、足がフットレストに接触しても柔らかく弾力性もあり滑らない為に安全に車椅子に乗降する事が出来る。
【実施例】
【０００７】  車椅子（１）のフットレスト（２、３）のサイズに合わせて柔らかく弾力性があり更に滑らない材質のネオプレンのシートを切断して袋状に加工しフットレスト（２、３）えの差込口（６）の周囲には差込口保護織布帯（５）を取り付けて着脱時に於ける保護の役割を目的とする。
【産業上の利用可能性】
【０００８】  身体障害者、老人、麻痺足の方々の中には車椅子で常時介護人と同行する事の出来る人々ばかりではないので一人にて車椅子で出かけるときには特に乗降時に危険が伴いますので、車椅子の安全対策に役立つ本考案の器具が効果的である。
【図面の簡単な説明】
【０００９】
【図１】  車椅子の斜視図
【図２】  本考案器具の斜視図
【符号の説明】
【００１０】  １  車椅子
２、３  フットレスト
４  フットレストソックス
５  差込口保護織布帯
６  差込口
７、８  フットレスト先端
９、１０  フットレスト回転軸
【図１】
0003104729.tif 000003
【図２】
0003104729.tif 000004